(57)【特許請求の範囲】
【請求項１】
媒体挿入排出口から挿入された第１および第２の媒体を、処理後に前記媒体挿入排出口
から排出する媒体処理装置において、
前記媒体挿入排出口から挿入された前記第１および第２の媒体を上下方向に搬送する共
用搬送路と、
前記第１の媒体の下端の位置決めを行う第１の基準面に沿わせて前記共用搬送路から引
渡された前記第１の媒体を前記共用搬送路の搬送方向に直交する前後方向に搬送する第１
の搬送路と、
前記第１の搬送路に設けられた第１の印字部と、
前記第１の搬送路の下方に配置され、前記第２の媒体の下端の位置決めを行う第２の基
準面に沿わせて前記共用搬送路から引渡された前記第２の媒体を前記前後方向に搬送する
第２の搬送路と、
前記第２の搬送路に設けられた第２の印字部と、
前記共用搬送路の前記第１の搬送路と前記第２の搬送路との間に配置され、前記共用搬
送路の閉鎖、解放を行う突当てシャッタと、を設けたことを特徴とする媒体処理装置。
【請求項２】
媒体挿入排出口から挿入された第１および第２の媒体を、処理後に前記媒体挿入排出口
から排出する媒体処理装置において、
装置本体の正面に設けられた前記媒体挿入排出口から印字面を垂直にして挿入された前
記第１および第２の媒体を水平方向である前後方向に搬送する前後搬送ローラと、前記第
２の媒体を前記前後方向に直交する上下方向に搬送する上下搬送ローラとを有する共用搬
送路と、
前記第１の媒体の下端の位置決めを行う第１の基準面に沿わせて前記共用搬送路から引
渡された前記第１の媒体を前記前後方向に搬送する第１の搬送路と、
前記第１の搬送路に設けられた第１の印字部と、
前記第１の搬送路の下方に配置され、前記第２の媒体の下端の位置決めを行う第２の基
準面に沿わせて前記共用搬送路から引渡された前記第２の媒体を前記前後方向に搬送する
第２の搬送路と、
前記第２の搬送路に設けられた第２の印字部と、
前記共用搬送路の前記第１の搬送路と前記第２の搬送路との間に配置され、前記共用搬
送路の閉鎖、解放を行う突当てシャッタと、を設けたことを特徴とする媒体処理装置。
【請求項３】
請求項１または請求項２に記載の媒体処理装置において、
前記共用搬送路を閉鎖した前記突当てシャッタの上面に前記第１の媒体を落下させて当
該第１の媒体の位置決めを行うことを特徴とする媒体処理装置。
【請求項４】
請求項１または請求項２に記載の媒体処理装置において、
前記第１の印字部による前記第１の媒体への印字処理中に、前記媒体挿入排出口からの
前記第２の媒体の挿入を受入れることを特徴とする媒体処理装置。
【請求項５】
請求項１または請求項２に記載の媒体処理装置において、
前記第２の印字部による前記第２の媒体への印字処理中に、前記媒体挿入排出口からの
前記第１の媒体の挿入を受入れることを特徴とする媒体処理装置。
【請求項６】
請求項１に記載の媒体処理装置において、
前記媒体挿入排出口が、装置本体の上面に設けられていることを特徴とする媒体処理装
置。
【請求項７】
請求項１または請求項６に記載の媒体処理装置において、
前記第１の媒体は、通帳であって、
前記第１の搬送路に、通帳に設けられた縦型磁気ストライプに記録された通帳情報を読
取る磁気ヘッドを設けると共に、前記共用搬送路の前記突当てシャッタの下方に、通帳に
設けられた横型磁気ストライプに記録された通帳情報を読取る磁気ヘッドを設けたことを
特徴とする媒体処理装置。
【発明の詳細な説明】
【技術分野】
【０００１】
本発明は、金融機関に設置され、オペレータがセットした通帳および伝票からなる媒体を取込み、その媒体に対する印字処理等を行う媒体処理装置に関する。
【背景技術】
【０００２】
従来の媒体処理装置として通帳伝票プリンタは、正面側に通帳挿入口と伝票挿入口とを上下２段に設けたインサータユニットを配置し、その通帳用および伝票用の搬送路を合流させて一つの印字ユニットへ導く搬送経路を形成し、通帳挿入口から挿入された通帳は、通帳用の搬送路に設けた幅寄せローラによって基準面に突当てて位置決めした後に通帳の磁気ストライプに記録された通帳情報を読取って印字ユニットへ搬送し、伝票挿入口から挿入された伝票は、伝票用の搬送路に設けた幅寄せローラによって基準面に突当てて位置決めして印字ユニットへ搬送し、通帳または伝票に対する印字処理の後に搬送経路を合流部で切替えて、媒体が挿入された元の通帳挿入口または伝票挿入口から排出している（例えば、特許文献１参照。）。
【０００３】
このような幅寄せローラによる位置決めを行うのは、通帳が斜めに搬送されると、磁気ストライプの読取りや書込みの際にエラーを生じさせる原因となり、また、通帳や伝票が斜めに搬送されると、印字を行う際に、文字が斜めに印字されたり、決められた範囲内に印字が行われなかったりする印字品質の低下を防止するためである。
【先行技術文献】
【特許文献】
【０００４】
【特許文献１】特開２０００−２８１２４５号公報（段落０００２、０００３、００１１−００２４、第３図）
【発明の概要】
【発明が解決しようとする課題】
【０００５】
しかしながら、上述した従来の技術においては、通帳挿入口および伝票挿入口を上下２段に配置し、通帳または伝票を水平にして挿入しているため、通帳伝票プリンタを机上等に設置することが必要になり、その水平方向の設置幅が大きいために、金融機関の応対窓口等における机上の作業スペースが狭くなるという問題がある。
このため、通帳伝票プリンタを９０度回転させて、通帳挿入口および伝票挿入口を垂直方向に配置するようにしても、２段に重ねられたインサータ部によって水平方向の設置幅が大きくなり、応対窓口等の狭い空間に設置することができない場合があるという問題がある。
【０００６】
また、通帳および伝票をそれぞれ挿入するための専用の挿入口を設け、挿入された媒体を一つの印字ユニットで処理しているため、どちらかの媒体への印字処理等の処理後に当該媒体の排出が終了しないと他の媒体の処理を行うことができず、窓口取引における媒体の処理に時間を要するという問題がある。
【０００７】
更に、通帳用の搬送路に磁気ストライプ処理用の磁気ヘッドを設けているため、通帳の綴じ目の直交方向に設けられた磁気ストライプ（縦型磁気ストライプという。）を有する通帳に対応させた場合には、通帳の綴じ目と平行に設けられた磁気ストライプ（横型磁気ストライプという。）を有する通帳には対応できず、縦型および横型の磁気ストライプを混用する金融機関の通帳伝票プリンタとして用いることができないという問題がある。
【０００８】
本発明は、上記の問題点を解決するためになされたもので、媒体処理装置を設置する空間のスペースユーティリティを向上させると共に、媒体の処理に要する時間を短縮する手段を提供することを目的とする。
また、縦型または横型の磁気ストライプを設けた通帳を混用する場合であっても、１台の媒体処理装置で対応する手段を提供することを目的とする。
【課題を解決するための手段】
【０００９】
本発明は、上記課題を解決するために、媒体挿入排出口から挿入された第１および第２の媒体を、処理後に前記媒体挿入排出口から排出する媒体処理装置において、前記媒体挿入排出口から挿入された前記第１および第２の媒体を上下方向に搬送する共用搬送路と、前記第１の媒体の下端の位置決めを行う第１の基準面に沿わせて前記共用搬送路から引渡された前記第１の媒体を前記共用搬送路の搬送方向に直交する前後方向に搬送する第１の搬送路と、前記第１の搬送路に設けられた第１の印字部と、前記第１の搬送路の下方に配置され、前記第２の媒体の下端の位置決めを行う第２の基準面に沿わせて前記共用搬送路から引渡された前記第２の媒体を前記前後方向に搬送する第２の搬送路と、前記第２の搬送路に設けられた第２の印字部と、前記共用搬送路の前記第１の搬送路と前記第２の搬送路との間に配置され、前記共用搬送路の閉鎖、解放を行う突当てシャッタと、を設けたことを特徴とする。
【発明の効果】
【００１０】
これにより、本発明は、媒体処理装置の水平方向の設置幅を小さくして、媒体処理装置を設置する空間のスペースユーティリティを向上させることができると共に、第１および第２の媒体の同時処理を可能にして、取引における処理時間を短縮することができるという効果が得られる。
【図面の簡単な説明】
【００１１】
【図１】実施例１の通帳伝票プリンタの構成を示すブロック図
【図２】実施例１の通帳伝票プリンタの設置状態を示す説明図
【図３】実施例１の通帳伝票プリンタの側面側から見た概略構成を示す説明図
【図４】図３のＡ−Ａ断面線に沿った正面側から見た断面を示す説明図
【図５】図３のＢ−Ｂ断面線に沿った上面側から見た断面を示す説明図
【図６】実施例１の通帳伝票プリンタの動作を示す説明図
【図７】実施例１の通帳伝票プリンタの動作を示す説明図
【図８】実施例２の通帳伝票プリンタの側面側から見た概略構成を示す説明図
【図９】実施例３の通帳伝票プリンタの側面側から見た概略構成を示す説明図
【図１０】実施例３の通帳伝票プリンタの設置状態を示す説明図
【発明を実施するための形態】
【００１２】
以下に、図面を参照して本発明による媒体処理装置の実施例について説明する。
【実施例１】
【００１３】
図１において、１は媒体処理装置としての通帳伝票プリンタであり、第１の媒体としての通帳および第２の媒体としての伝票からなる２種類の媒体に対する印字処理、通帳の磁気ストライプに磁気データとして記録された通帳情報の読取りや書込みの処理を行う。ここで、通帳伝票プリンタ１に設けられた図示しない制御部は、上位装置とのデータ送受信、媒体の搬送、印字処理および磁気データの読取りや書込み処理等を制御する。
【００１４】
２は媒体挿入排出口であり、通帳伝票プリンタ１の装置本体の上面の正面側（オペレータ側のことをいう。図３において左側、）に設けられた、通帳および伝票の挿入および排出を兼用で行う一つの開口であって、取引で取扱われる媒体（取扱媒体という。）の中で最大の媒体が挿入可能な大きさを有している。
【００１５】
本実施例の通帳伝票プリンタ１は、通帳に取引内容等の記帳を行う第１の印字部としての通帳印字部３、通帳のページ替えが必要となった場合にページ捲りを行うページ捲り部４等を備えた第１の処理部としての通帳処理部５と、伝票に処理済等の所定の事項を印字する第２の印字部としての伝票印字部６等を備えた第２の処理部としての伝票処理部７とを上下に並べて配置し、媒体挿入排出口２から印字面を垂直にして挿入された媒体を、インサータ部８に設けられた媒体取込排出部９で取込み、その媒体の種類に応じて通帳処理部５または伝票処理部７へ搬送して印字処理等の処理を行い、処理後の媒体を媒体取込排出部９へ搬送して媒体挿入排出口２から排出するように構成され、図２に示すように、通帳伝票プリンタ１への指示入力等を行う上位装置としての入力装置１０が載置された机の脇等に媒体挿入排出口２を上側に向けて縦長に設置される。
本実施例の伝票処理部７は、通帳処理部５の下方に並べて配置されている。
【００１６】
通帳印字部３は、通帳への印字を行うための第１の印字ヘッドとしての通帳印字ヘッド３ａとこれに対向して設けられたプラテン３ｂとインクリボンカセット３ｃとを備えており（図５参照）、後述する第１の搬送路としての通帳搬送路２３により搬送された通帳に印字を行う機能を有している。
また、伝票印字部６は、伝票への印字を行うための第２の印字ヘッドとしての伝票印字ヘッド６ａとこれに対向して設けられたプラテン６ｂと図示しないインクリボンカセットとを備えており（図３参照）、後述する第２の搬送路としての伝票搬送路３１により搬送された伝票に印字を行う機能を有している。
【００１７】
図３において、１１は上下搬送ローラであり、媒体挿入排出口２から挿入された通帳および伝票からなる２種類の媒体を一対のローラで挟持して、上下方向（垂直方向）つまり図３に矢印で示すＵ方向またはＬ方向に搬送する搬送ローラであって、上下搬送ローラ１１ａ〜１１ｄを垂直方向に配置して構成されており、図４に示すように、媒体の表裏の面を案内する一対の搬送ガイド１２ａ、１２ｂ間の共用搬送路１３から退避可能に設けられている。
また、本実施例においては、媒体挿入排出口２から挿入された通帳および伝票は、上下搬送ローラ１１ａ、１１ｂに挟持されて搬送され、媒体取込排出部９に取り込まれる。
【００１８】
１４は前後搬送ローラであり、媒体を挟持して、共用搬送路１３の搬送方向（上下方向）の直交方向である前後方向（水平方向）つまり図３に矢印で示すＦ方向またはＲ方向に搬送する搬送ローラであって、図５に示すように、共用搬送路１３から退避可能に設けられている。なお、図３等に網掛けを付して示した搬送ローラは、前後方向に媒体を搬送する搬送ローラを示す。
１５は挿入センサであり、媒体挿入排出口２の直近に配置された光学式のセンサであって、媒体の挿入および排出を検出すると共に、挿入された媒体の挿入方向の長さを検出する機能を有している。
【００１９】
１６は突当てシャッタであり、挿入された通帳の下端をその自重により突当てて通帳処理部５における通帳の位置決めを行う機能を有する閉鎖板であって、上下搬送ローラ１１ｂの下側に配置されており、図４に示すように、共用搬送路１３を閉鎖、開放するように共用搬送路１３から退避可能に設けられている。また、突当てシャッタ１６の上面は、後述する通帳搬送路２３の通帳基準面２２と同等の高さとなるように設定されている。
１７は第１のセットセンサとしての通帳セットセンサであり、通帳の下端が突当てシャッタ１６に突当てられて位置決めされたことを検出する光学式のセンサであって、突当てシャッタ１６の上側に配置されている。
【００２０】
１８は幅寄せローラであり、通帳を挟持して搬送する一対のローラであって、通帳の下端が、通帳の反り等の要因で突当てシャッタ１６に突当てられなかったことを通帳セットセンサ１７によって検出したときに、通帳を突当てシャッタ１６に強制的に突当てる機能を有しており、共用搬送路１３から退避可能に設けられている。なお、幅寄せローラ１８は区別のためにハッチングを付して示してある（図３参照）。
【００２１】
１９は第２のセットセンサとしての伝票セットセンサであり、伝票の下端が伝票基準面２０に突当てられて位置決めされたことを検出する光学式のセンサであって、伝票基準面２０の上側で、上下搬送ローラ１１ｄの下方に配置されている。
【００２２】
２１は第１の搬送ローラとしての通帳搬送ローラであり、突当てシャッタ１６で位置決めされ共用搬送路１３の媒体取込排出部９から引渡された通帳を挟持して、前後方向、つまりＦ方向またはＲ方向に搬送する搬送ローラであって、図３、図５に示すように、通帳の下端を通帳基準面２２に沿わせながら一対の搬送ガイド１２ａ、１２ｂ間の通帳搬送路２３に沿って通帳を搬送する。なお、各通帳搬送ローラ２１は、図５に示すように、通帳搬送路２３内で一対の搬送ローラが突合された状態で設けられている。
【００２３】
２５は磁気ヘッドであり、通帳に設けられた縦型磁気ストライプに応じた位置に取付られており、磁気ストライプに記録された通帳情報の読取り、書込みを行う。
２６はページセンサであり、通帳の各ページに設けられたページマークの読取りや印字文字の判別を行う。
【００２４】
３０は第２の搬送ローラとしての伝票搬送ローラであり、伝票基準面２０で位置決めされ共用搬送路１３から引渡された伝票を挟持して、前後方向、つまりＦ方向またはＲ方向に搬送する搬送ローラであって、伝票搬送ローラ３０ａ〜３０ｄを水平方向に配置して構成されており、図３、図４に示すように、伝票の下端を伝票基準面２０に沿わせながら一対の搬送ガイド１２ａ、１２ｂ間の伝票搬送路３１に沿って伝票を搬送する。
【００２５】
なお、共用搬送路１３に配置された伝票搬送ローラ３０ａ、３０ｂは、図４に示すように、共用搬送路１３から退避可能に設けられており、伝票搬送ローラ３０ｃ、３０ｄは、伝票搬送路３１内で一対の搬送ローラが突合された状態で設けられている。
【００２６】
上記した媒体取込排出部９は、上下搬送ローラ１１ａ、１１ｂ、前後搬送ローラ１４、挿入センサ１５、突当てシャッタ１６、幅寄せローラ１８、通帳セットセンサ１７等で構成されており、インサータ部８は、媒体取込排出部９および、上下搬送ローラ１１ｃ、１１ｄ、伝票セットセンサ１９等で構成されている。
【００２７】
また、通帳処理部５は、通帳搬送ローラ２１を有する通帳搬送路２３、通帳基準面２２、磁気ヘッド２５、ページセンサ２６、通帳印字ヘッド３ａ等を有する通帳印字部３、ページ捲り部４等で構成され、伝票処理部７は、伝票搬送ローラ３０ａ〜３０ｄを有する伝票搬送路３１、伝票基準面２０、伝票印字ヘッド６ａ等を有する伝票印字部６等で構成されている。
【００２８】
以下に、図６、図７にＰで示すプロセスに従って、本実施例の通帳伝票プリンタ１による媒体処理の処理動作について説明する。
以下の説明においては、金融機関の応対窓口のオペレータが顧客から受取った通帳および伝票を基に取引（例えば、出金伝票による出金取引）を行い、その取引内容を通帳に記帳し、これと同時に伝票に所定の事項を印字する場合を例に説明する。
【００２９】
本実施例の通帳伝票プリンタ１の初期状態は、上下搬送ローラ１１は共用搬送路１３内で一対の搬送ローラを突合せた状態になっており、前後搬送ローラ１４、幅寄せローラ１８、突当てシャッタ１６、伝票搬送ローラ３０ａ、３０ｂは共用搬送路１３から退避した状態になっている。
【００３０】
Ｐ１（図６）：オペレータが顧客の通帳Ｔの記帳ページを開いて、媒体挿入排出口２から綴じ目に沿った方向に通帳Ｔを印字面を垂直にして挿入すると、通帳伝票プリンタ１の図示しない制御部は、挿入センサ１５で媒体の挿入を検出し、上下搬送ローラ１１をＬ方向（図３参照）への搬送方向に回転させ、当該媒体を挟持して搬送する。
【００３１】
Ｐ２（図６）：制御部は、挿入センサ１５が媒体の挿入方向の先端を検出したときからの経過時間を計測しながら挿入センサ１５が媒体の後端を検出するのを待って待機し、挿入センサ１５が媒体の後端を検出したときに、その経過時間を基に媒体の長さを検出し、その長さによって媒体が通帳Ｔであるか伝票Ｓであるかを判定し、通帳Ｔと判定した場合は、突当てシャッタ１６を突出させて共用搬送路１３を閉鎖する。また、伝票Ｓと判定した場合は、突当てシャッタ１６をそのままにして共用搬送路１３を開放したままにする（本段階では、挿入された媒体を通帳Ｔと判定し、突当てシャッタ１６によって共用搬送路１３を閉鎖する。）。
【００３２】
そして、制御部は、通帳セットセンサ１７が通帳Ｔの下端を検出するまで上下搬送ローラ１１を回転させ、通帳セットセンサ１７が通帳Ｔの下端を検出したときに上下搬送ローラ１１を全て停止させ、上下搬送ローラ１１を共用搬送路１３から退避させて通帳Ｔを自重により落下させて突当てシャッタ１６に突当てる。これにより、通帳Ｔの下端が自動的に通帳基準面２２と同じ高さに位置決めされる。
なお、所定の時間経過しても通帳セットセンサ１７が通帳Ｔを検出しない場合、制御部は、幅寄せローラ１８により通帳Ｔを挟持して搬送し、落ちきらなかった通帳Ｔを強制的に突当てシャッタ１６に突当てる。
【００３３】
通帳Ｔの位置決めを終えると、制御部は、位置決めされた通帳Ｔを前後搬送ローラ１４により挟持してＲ方向へ搬送し、これを媒体取込排出部９から通帳搬送路２３の通帳搬送ローラ２１に引渡してページセンサ２６での読取り位置へ搬送してページマークを読取ると共にこの搬送の過程で磁気ヘッド２５によって通帳Ｔの縦型磁気ストライプから記帳中のページ等の通帳情報を読取る。なお、突当てシャッタ１６は通帳Ｔの通帳搬送路２３への引渡し後に共用搬送路１３から退避させる。
【００３４】
Ｐ３（図６）：通帳Ｔのページマークおよび通帳情報を読取った制御部は、当該通帳を通帳搬送ローラ２１で通帳印字位置へ搬送し、通帳印字ヘッド３ａで通帳Ｔへの印字処理を行う。この場合に、改ページが必要であれば、通帳搬送ローラ２１によりページ捲り部４へ搬送してページの捲り処理を行った後に印字処理を行う。
【００３５】
この通帳Ｔへの印字処理の過程で挿入センサ１５が媒体挿入排出口２から挿入された新たな媒体（本段階では伝票Ｓ）の挿入方向の先端を検出した場合、制御部は、その挿入を受入れ、上記プロセスＰ１と同様にして、上下搬送ローラ１１により当該伝票Ｓを挟持してＬ方向へ搬送する。このとき、前後搬送ローラ１４、幅寄せローラ１８、突当てシャッタ１６は共用搬送路１３から退避した状態になっている。
【００３６】
そして、制御部は、プロセスＰ２と同様にして、経過時間を基に媒体の長さを検出し、その長さによって媒体が伝票Ｓであると判定し、共用搬送路１３を開放した状態になっている突当てシャッタ１６を通過させて、上下搬送ローラ１１により当該伝票Ｓを更にＬ方向へ搬送する。このとき、伝票搬送路３１の伝票搬送ローラ３０ａ、３０ｂは共用搬送路１３から退避した状態になっている。
なお、通帳Ｔへの印字処理の終了までに挿入センサ１５が媒体を検出しなかった場合は、後述する通帳Ｔのみの処理と同様にして、印字処理等を終えた通帳Ｔを媒体挿入排出口２から排出してオペレータへ引渡す。
【００３７】
Ｐ４（図７）：当該伝票Ｓを更にＬ方向へ搬送した制御部は、伝票セットセンサ１９が伝票Ｓの下端を検出するまで上下搬送ローラ１１を回転させ、伝票セットセンサ１９が伝票Ｓの下端を検出したときに上下搬送ローラ１１を全て停止させ、上下搬送ローラ１１を共用搬送路１３から退避させて伝票Ｓを自重により落下させて伝票基準面２０に突当てる。これにより、伝票Ｓの下端が自動的に伝票基準面２０に位置決めされる。
【００３８】
Ｐ５（図７）：伝票Ｓの位置決めを終えると、制御部は、位置決めされた伝票Ｓを伝票搬送路３１の伝票搬送ローラ３０ａ、３０ｂにより挟持してＲ方向へ搬送し、これを伝票搬送路３１の伝票搬送ローラ３０ｃ、３０ｄに引渡して伝票印字位置へ搬送し、伝票印字ヘッド６ａで伝票Ｓへの印字処理を行う。
【００３９】
そして、制御部は、通帳Ｔへの印字処理が終了し、かつ伝票Ｓが伝票印字位置へ搬送されたことを認識したときに、突当てシャッタ１６を開放状態のままにして、印字処理を終えた通帳Ｔを通帳搬送ローラ２１および前後搬送ローラ１４で挟持してＦ方向へ搬送すると共にこの搬送の過程で磁気ヘッド２５により通帳Ｔの磁気ストライプの通帳情報に現在の記帳ページ等を書込み、通帳セットセンサ１７が通帳Ｔを検出し所定の距離搬送した後に通帳搬送ローラ２１および前後搬送ローラ１４を停止し、通帳Ｔを上下搬送ローラ１１ａ、１１ｂで挟持した後に前後搬送ローラ１４を共用搬送路１３から退避させて通帳Ｔを上下搬送ローラ１１に引渡し、上下搬送ローラ１１ａ、１１ｂによりＵ方向へ搬送して挿入センサ１５が通帳Ｔの排出方向の先端を検出し所定の距離搬送した後に上下搬送ローラ１１を停止して媒体挿入排出口２から通帳Ｔを排出し、挿入センサ１５によってオペレータによる通帳Ｔの受取りを確認する。
【００４０】
Ｐ６（図７）：オペレータによる通帳Ｔの受取りを確認した制御部は、伝票Ｓへの印字処理が終了したことを認識したときに、印字処理を終えた伝票Ｓを、伝票搬送ローラ３０によりＦ方向へ搬送し、伝票セットセンサ１９が伝票Ｓを検出し所定の距離搬送した後に伝票搬送ローラ３０を停止し、伝票Ｓを上下搬送ローラ１１ｃ、１１ｄで挟持した後に伝票搬送ローラ３０ａ、３０ｂを共用搬送路１３から退避させて伝票Ｓを上下搬送ローラ１１に引渡し、上下搬送ローラ１１で挟持して解放状態の突当てシャッタ１６を通過させてＵ方向へ搬送し、挿入センサ１５が伝票Ｓの排出方向の先端を検出し所定の距離搬送した後に上下搬送ローラ１１を停止して媒体挿入排出口２から伝票Ｓを排出し、挿入センサ１５によってオペレータによる伝票Ｓの受取りを確認する。このとき、前後搬送ローラ１４は共用搬送路１３から退避した状態になっている。
【００４１】
このようにして、本実施例の通帳伝票プリンタ１による通帳および伝票を連続的かつ同時に処理する媒体処理の処理動作が行われる。
なお、通帳のみを処理する場合は、上記プロセスＰ１、Ｐ２、Ｐ３、Ｐ５で説明した通帳Ｔの処理動作のみを実行し、伝票のみを処理する場合は、上記プロセスＰ３〜Ｐ６で説明した伝票Ｓの処理動作のみを実行するようにする。
【００４２】
ここで、本実施例においては挿入された媒体の媒体長を検出することにより媒体種別（通帳または伝票のいずれか）を判別することとしたが、上位装置からの制御コマンドまたは装置の操作パネル等により媒体種別を指定し、指定結果に従い媒体の処理動作を制御することとしてもよい。
【００４３】
また、上記では通帳の挿入を先に受入れ、通帳の印字処理中に伝票を受入れるとして説明したが、伝票の挿入を先に受入れ、伝票の印字処理中に通帳を受入れるようにしてもよい。この場合は、前記伝票のみを処理するプロセスを先に実行し、伝票の印字処理中に前記通帳のみを処理するプロセスにより通帳を通帳処理部５へ搬送するとよい。
更に、印字処理が終了した通帳または伝票のいずれの媒体を優先して排出するかは、上位装置からの制御コマンドまたは装置の操作パネル等により設定できることとしてもよい。
【００４４】
また、本実施例においては装置の上部に通帳処理部５、下部に伝票処理部７を配置することとしたが、通帳処理部５および伝票処理部７の位置関係を上下逆とする配置としてもよい。
ここで、媒体処理部（通帳処理部５または伝票処理部７）は、処理を優先する媒体処理部を媒体取込排出口９の近く（本実施例においては装置の上部）に配置することとしてもよい。
【００４５】
上記のように、本実施例の通帳伝票プリンタ１は、上下搬送ローラ１１によって媒体を上下方向に搬送する共用搬送路１３に沿って、その直交方向である前後方向に媒体を搬送して処理する通帳処理部５と伝票処理部７とを上下方向に並べて配置したので、通帳伝票プリンタ１の水平方向の設置幅を小さくすることができ、図２に示すように、机上の作業スペースを広くすることができると共に、机の脇等の狭いスペースであっても通帳伝票プリンタを設置することができ、応対窓口等の通帳伝票プリンタ１を設置する空間のスペースユーティリティを向上させることができる。
【００４６】
また、通帳処理部５と伝票処理部７とが独立に配置されているので、処理後の通帳の排出完了を待たずに、通帳への印字処理中に伝票を受入れることが可能になり、通常、窓口取引において同時に提出される通帳および伝票の同時処理を可能にして、窓口取引における処理時間を短縮することができる。
更に、通帳および伝票の両方を挿入する兼用の媒体挿入排出口２を設けているため、オペレータが媒体挿入排出口２を間違えることがなくなり、媒体に対する処理のやり直しを防止して窓口取引における処理時間を短縮することができる。
【００４７】
更に、媒体の自重を利用して、通帳を共用搬送路１３を閉鎖した突当てシャッタ１６の上面に落下させ、伝票を共用搬送路１３の下端部の伝票基準面２０に落下させて位置決めするので、媒体の突当て処理自体を省略して各基準面への幅寄せ機能を簡素化することができると共に、幅寄せ処理を高速化して通帳伝票プリンタ１の処理速度を向上させることができる。
【００４８】
以上説明したように、本実施例では、通帳伝票プリンタに、媒体挿入排出口から挿入された媒体を上下方向に搬送する共用搬送路と、通帳の下端の位置決めを行う通帳基準面に沿わせて共用搬送路から引渡された通帳を前後方向に搬送する、通帳印字部が設けられた通帳搬送路と、通帳搬送路の下方に並列に配置され、伝票の下端の位置決めを行う伝票基準面に沿わせて共用搬送路から引渡された伝票を前後方向に搬送する、伝票印字部が設けられた伝票搬送路と、共用搬送路の通帳搬送路と伝票搬送路との間に配置され、共用搬送路の閉鎖、解放を行う突当てシャッタとを設けたことによって、通帳伝票プリンタの水平方向の設置幅を小さくして、応対窓口等の通帳伝票プリンタを設置する空間のスペースユーティリティを向上させることができると共に、通帳および伝票の同時処理を可能にして、窓口取引における処理時間を短縮することができる。
【実施例２】
【００４９】
以下に、図８を用いて本実施例の通帳伝票プリンタについて説明する。なお、上記実施例１と同様の部分は、同一の符号を付してその説明を省略する。
【００５０】
本実施例の共用搬送路１３の突当てシャッタ１６の下方には、図８に示すように、通帳に設けられた横型磁気ストライプに記録された通帳情報の読取り、書込みを行う磁気ヘッド４０が設けられている。また、磁気ヘッド４０は、通帳の横型磁気ストライプに応じた位置に取付られている。
【００５１】
以下に、本実施例の通帳伝票プリンタ１による媒体処理の処理動作について説明する。なお、本実施例の通帳伝票プリンタ１の初期状態は、上記実施例１と同様の状態になっている。
本実施例のオペレータは、処理する通帳Ｔを挿入する前に、入力装置１０（図２参照）によって当該通帳の磁気ストライプの型式が縦型であるか、横型であるかの指示入力を行う（本実施例では、横型の指示入力が行われたとして説明する）。
【００５２】
その後に、オペレータが、顧客の通帳Ｔの記帳ページを開いて、媒体挿入排出口２から綴じ目に沿った方向に通帳Ｔを印字面を垂直にして挿入すると、通帳伝票プリンタ１の図示しない制御部は、上記実施例１のプロセスＰ１と同様にして、当該媒体（本段階では、通帳）を上下搬送ローラ１１によってＬ方向に搬送する。
【００５３】
次いで、制御部は、上記実施例１のプロセスＰ２と同様にして、経過時間を基に媒体の長さを検出し、その長さによって挿入された媒体が通帳Ｔであるか伝票Ｓであるかを判定し、通帳Ｔと判定した場合であって入力された磁気ストライプの型式が縦型のときは、突当てシャッタ１６を突出させて共用搬送路１３を閉鎖する。通帳Ｔと判定した場合であって入力された磁気ストライプの型式が横型のときは、突当てシャッタ１６をそのままにして共用搬送路１３を開放したままにする。また、伝票Ｓと判定した場合は、突当てシャッタ１６をそのままにして共用搬送路１３を開放したままにする（本段階では、挿入された媒体を通帳Ｔと判定し、磁気ストライプの型式が横型と入力されているので、共用搬送路１３は解放されたままとされる。）。
【００５４】
そして、制御部は、伝票セットセンサ１９が通帳Ｔの下端を検出するまで上下搬送ローラ１１を回転させ、伝票セットセンサ１９が通帳Ｔの下端を検出したときに上下搬送ローラ１１を全て停止させる。この搬送の過程で磁気ヘッド４０によって横型磁気ストライプから通帳Ｔの記帳中のページ等の通帳情報を読取る。
【００５５】
横型磁気ストライプから通帳情報を読取った制御部は、挿入センサ１５が通帳Ｔの上端を検出するまで上下搬送ローラ１１によって通帳ＴをＵ方向へ搬送し、挿入センサ１５が通帳Ｔの上端を検出したときに上下搬送ローラ１１を全て停止させ、突当てシャッタ１６を突出させて共用搬送路１３を閉鎖する。その後に再び上下搬送ローラ１１によって通帳ＴをＬ方向へ搬送し、通帳セットセンサ１７が通帳Ｔの下端を検出したときに上下搬送ローラ１１を全て停止させ、上下搬送ローラ１１を共用搬送路１３から退避させて通帳Ｔを自重により落下させて突当てシャッタ１６に突当てる。
【００５６】
通帳Ｔの位置決めを終えると、制御部は、位置決めされた通帳Ｔを前後搬送ローラ１４により挟持してＲ方向へ搬送し、これを媒体取込排出部９から通帳搬送路２３の通帳搬送ローラ２１に引渡してページセンサ２６での読取り位置へ搬送してページマークを読取る。
その後の処理動作は、上記実施例１のプロセスＰ３〜Ｐ６と同様であるので、その説明を省略する。
なお、通帳Ｔと判定した場合であって入力された磁気ストライプの型式が縦型のときは、上記実施例１の場合と同様の処理動作により、通帳Ｔおよび伝票Ｓの処理が行われる。
【００５７】
以上説明したように、本実施例では、上記実施例１と同様の効果に加えて、通帳搬送路に通帳に設けられた縦型磁気ストライプに記録された通帳情報を読取る磁気ヘッドを設けると共に、共用搬送路の突当てシャッタの下方に通帳に設けられた横型磁気ストライプに記録された通帳情報を読取る磁気ヘッドを設けたので、縦型、横型いずれの磁気ストライプであってもその処理が可能になり、縦型または横型の磁気ストライプを設けた通帳を混用する金融機関であっても、１台の通帳伝票プリンタで対応することができる。
【００５８】
また、縦型磁気ストライプ用の磁気ヘッドおよび横型磁気ストライプ用の磁気ヘッドは、通帳に設けられた磁気ストライプの位置に応じて取付位置を変更することができ、あらゆる磁気ストライプの形式に対応することができると共に、縦型および／もしくは横型磁気ストライプ用の磁気ヘッドを増設すれば、３種類以上の磁気ストライプを設けた通帳を混用する金融機関であっても、１台の通帳伝票プリンタで対応することができる。
【実施例３】
【００５９】
以下に、図９、図１０を用いて本実施例の通帳伝票プリンタについて説明する。なお、上記実施例１と同様の部分は、同一の符号を付してその説明を省略する。
本実施例のプリンタ１には、図９に示すように、装置本体の正面（オペレータ側の面のことをいう。図９において左側）に、媒体挿入排出口４５が設けられている。
【００６０】
この媒体挿入排出口４５は、上記実施例１の媒体挿入排出口２と同様に、通帳および伝票の挿入および排出を兼用で行う一つの開口であって、その開口の下面は、共用搬送路１３の突出した突当てシャッタ１６の上面と同等の高さに設けられ、取扱媒体の中で最大の媒体が挿入可能な大きさを有しており、装置本体の正面に開口している。このため挿入センサ１５は、媒体挿入排出口４５の直近に配置されている。
また、本実施例においては、媒体挿入排出口４５から挿入された通帳および伝票からなる２種類の媒体は、前後搬送ローラ１４に挟持されて搬送され、媒体取込排出部９に取込まれる。
【００６１】
４６は通帳セットセンサであり、上記実施例１の通帳セットセンサ１７と同様の光学式のセンサであって、突当てシャッタ１６の上側で共用搬送路１３の背面側（図９において右側）に配置されており、通帳の下端が突当てシャッタ１６に突当てられて位置決めされたことを検出すると共に、媒体挿入排出口４５から挿入された通帳および伝票の挿入方向の先端を検出して媒体が媒体取込排出部９に取込まれたことを検出する。
【００６２】
本実施例の通帳伝票プリンタ１は、図１０に示すように、通帳伝票プリンタ１への指示入力等を行う入力装置１０が載置された机の下等に媒体挿入排出口４５を正面側に向けて縦長に設置される。
以下に、本実施例の通帳伝票プリンタ１による媒体処理の処理動作について説明する。
【００６３】
本実施例の通帳伝票プリンタ１の初期状態は、前後搬送ローラ１４は共用搬送路１３内で一対の搬送ローラを突合せた状態になっており、上下搬送ローラ１１、幅寄せローラ１８、突当てシャッタ１６、伝票搬送ローラ３０ａ、３０ｂは共用搬送路１３から退避した状態になっている。
【００６４】
オペレータが顧客の通帳Ｔの記帳ページを開いて、媒体挿入排出口４５から綴じ目の直交方向に沿った方向に通帳Ｔを印字面を垂直にして挿入すると、通帳伝票プリンタ１の図示しない制御部は、挿入センサ１５で媒体の挿入を検出し、前後搬送ローラ１４をＲ方向（図９参照）への搬送方向に回転させ、当該媒体を挟持して搬送する。
【００６５】
次いで、制御部は、上記実施例１のプロセスＰ２と同様にして、挿入された媒体が通帳Ｔであるか伝票Ｓであるかを判定し、通帳Ｔと判定した場合は、突当てシャッタ１６を突出させて共用搬送路１３を閉鎖する。また、伝票Ｓと判定した場合は、突当てシャッタ１６をそのままにして共用搬送路１３を開放したままにする（本段階では、挿入された媒体を通帳Ｔと判定し、突当てシャッタ１６によって共用搬送路１３を閉鎖する。）。
【００６６】
そして、制御部は、通帳セットセンサ４６が通帳Ｔの挿入方向の先端を検出するまで前後搬送ローラ１４を回転させ、通帳セットセンサ４６が通帳Ｔの先端を検出したときに前後搬送ローラ１４を全て停止させ、前後搬送ローラ１４を共用搬送路１３から退避させて通帳Ｔを自重により落下させて突当てシャッタ１６に突当てる。これにより、通帳Ｔの下端が自動的に通帳基準面２２と同じ高さに位置決めされる。
【００６７】
通帳Ｔの位置決めを終えると、制御部は、位置決めされた通帳Ｔを前後搬送ローラ１４により再び挟持してＲ方向へ搬送し、これを媒体取込排出部９から通帳搬送路２３の通帳搬送ローラ２１に引渡してページセンサ２６での読取り位置へ搬送してページマークを読取ると共にこの搬送の過程で磁気ヘッド２５によって通帳Ｔの縦型磁気ストライプから記帳中のページ等の通帳情報を読取り、上記実施例１のプロセスＰ３と同様にして、通帳印字ヘッド３ａで通帳Ｔへの印字処理を行う。なお、突当てシャッタ１６は通帳Ｔの通帳搬送路２３への引渡し後に共用搬送路１３から退避させる。
【００６８】
この通帳Ｔへの印字処理の過程で挿入センサ１５が媒体挿入排出口４５から挿入された新たな媒体、本実施例では伝票Ｓの挿入方向の先端を検出した場合、制御部は、その挿入を受入れ、上記通帳Ｔの場合と同様にして、前後搬送ローラ１４により当該伝票Ｓを挟持してＲ方向へ搬送する。このとき、上下搬送ローラ１１、幅寄せローラ１８、突当てシャッタ１６は共用搬送路１３から退避した状態になっている。
【００６９】
そして、制御部は、上記通帳Ｔの場合と同様にして、経過時間を基に媒体の長さを検出し、その長さによって媒体が伝票Ｓであると判定し、通帳セットセンサ４６が伝票Ｓの挿入方向の先端を検出するまで前後搬送ローラ１４を回転させ、通帳セットセンサ４６が伝票Ｓの先端を検出したときに前後搬送ローラ１４を全て停止させ、伝票Ｓを上下搬送ローラ１１ａ、１１ｂで挟持した後に前後搬送ローラ１４を共用搬送路１３から退避させて伝票Ｓを上下搬送ローラ１１に引渡し、上下搬送ローラ１１により共用搬送路１３を開放した状態になっている突当てシャッタ１６を通過させて、当該伝票ＳをＬ方向へ搬送する。このとき、伝票搬送路３１の伝票搬送ローラ３０ａ、３０ｂは共用搬送路１３から退避した状態になっている。
【００７０】
なお、通帳Ｔへの印字処理の終了までに挿入センサ１５が媒体を検出しなかった場合は、後述する通帳Ｔのみの処理と同様にして、印字処理等を終えた通帳Ｔを媒体挿入排出口４５から排出してオペレータへ引渡す。
【００７１】
当該伝票ＳをＬ方向へ搬送した制御部は、上記実施例１のプロセスＰ４と同様にして、伝票Ｓを自重により落下させて伝票基準面２０に突当てる。これにより、伝票Ｓの下端が自動的に伝票基準面２０に位置決めされる。
伝票Ｓの位置決めを終えると、制御部は、上記実施例１のプロセスＰ５と同様にして、伝票印字ヘッド６ａで伝票Ｓへの印字処理を行う。
【００７２】
そして、制御部は、通帳Ｔへの印字処理が終了し、かつ伝票Ｓが伝票印字位置へ搬送されたことを認識したときに、突当てシャッタ１６を開放状態のままにして、印字処理を終えた通帳Ｔを通帳搬送ローラ２１および前後搬送ローラ１４で挟持してＦ方向へ搬送すると共にこの搬送の過程で磁気ヘッド２５により通帳Ｔの磁気ストライプの通帳情報に現在の記帳ページ等を書込み、前後搬送ローラ１４により挿入センサ１５が通帳Ｔの排出方向の先端を検出し所定の距離搬送した後に前後搬送ローラ１４を停止して媒体挿入排出口４５から通帳Ｔを排出し、挿入センサ１５によってオペレータによる通帳Ｔの受取りを確認する。このとき、上下搬送ローラ１１は共用搬送路１３から退避した状態になっている。
【００７３】
オペレータによる通帳Ｔの受取りを確認した制御部は、上記実施例１のプロセスＰ５と同様にして、印字処理を終えた伝票Ｓを、伝票搬送ローラ３０によりＦ方向へ搬送して上下搬送ローラ１１に引渡し、上下搬送ローラ１１で挟持して解放状態の突当てシャッタ１６を通過させてＵ方向へ搬送し、通帳セットセンサ４６が伝票Ｓの排出方向の後端を検出したときに、上下搬送ローラ１１を停止させ、伝票Ｓを前後搬送ローラ１４で挟持した後に上下搬送ローラ１１を共用搬送路１３から退避させて伝票Ｓを前後搬送ローラ１４に引渡し、前後搬送ローラ１４により挿入センサ１５が伝票Ｓの排出方向の先端を検出し所定の距離搬送した後に前後搬送ローラ１４を停止して媒体挿入排出口４５から通帳Ｓを排出し、挿入センサ１５によってオペレータによる通帳Ｓの受取りを確認する。
【００７４】
このようにして、本実施例の通帳伝票プリンタ１による通帳および伝票を連続的かつ同時に処理する媒体処理の処理動作が行われる。
なお、通帳のみを処理する場合は、上記プロセスで説明した通帳Ｔの処理動作のみを実行し、伝票のみを処理する場合は、上記プロセスで説明した伝票Ｓの処理動作のみを実行するようにする。
【００７５】
また、上記では通帳の挿入を先に受入れ、通帳の印字処理中に伝票を受入れるとして説明したが、伝票の挿入を先に受入れ、伝票の印字処理中に通帳を受入れるようにしてもよい。この場合は、前記伝票のみを処理するプロセスを先に実行し、伝票の印字処理中に前記通帳のみを処理するプロセスにより通帳を通帳処理部５へ搬送するとよい。
【００７６】
以上説明したように、本実施例では、上記実施例１と同様の効果に加えて、媒体挿入排出口を正面側に配置したので、通帳伝票プリンタを机等の下側に設置することができ、応対窓口等の通帳伝票プリンタを設置する空間のスペースユーティリティを更に向上させることができる（図１０参照）。
【符号の説明】
【００７７】
１    通帳伝票プリンタ
２、４５  媒体挿入排出口
３    通帳印字部
３ａ  通帳印字ヘッド
３ｂ、６ｂ  プラテン
３ｃ  インクリボンカセット
４    ページ捲り部
５    通帳処理部
６    伝票印字部
６ａ  伝票印字ヘッド
７    伝票処理部
８    インサータ部
９    媒体取込排出部
１０  入力装置
１１、１１ａ〜１１ｄ  上下搬送ローラ
１２ａ、１２ｂ  搬送ガイド
１３  共用搬送路
１４  前後搬送ローラ
１５  挿入センサ
１６  突当てシャッタ
１７、４６  通帳セットセンサ
１８  幅寄せローラ
１９  伝票セットセンサ
２０  伝票基準面
２１  通帳搬送ローラ
２２  通帳基準面
２３  通帳搬送路
２５、４０  磁気ヘッド
２６  ページセンサ
３０、３０ａ〜３０ｄ  伝票搬送ローラ
３１  伝票搬送路
【図１】
0005772203.tif 000002
【図２】
0005772203.tif 000003
【図３】
0005772203.tif 000004
【図４】
0005772203.tif 000005
【図５】
0005772203.tif 000006
【図６】
0005772203.tif 000007
【図７】
0005772203.tif 000008
【図８】
0005772203.tif 000009
【図９】
0005772203.tif 000010
【図１０】
0005772203.tif 000011